(57)【要約】【課題】包装用トレイを簡単な構造で工数を増やすことなく、第１及び第２収納凹部の壁部を起立させた状態で安定させて収納物の出し入れを容易なものにする。【解決手段】板状部材を折り畳んで上面部１０ａに第１及び第２開口部１１，１２が形成されたトレイ本体１０を設ける。別の板状部材を折り曲げて第１及び第２開口部１１，１２に挿入される第１及び第２収納凹部２，３を形成する。第１及び第２開口部１１，１２は、その形状に合わせてトレイ本体１０の上面部１０ａを折り曲げて形成した第１〜第７外側縦壁部１１ａ〜１１ｄ及び１２ａ〜１２ｃに周縁を囲まれ、第１及び第２収納凹部２，３は、第１〜第７外側縦壁部に内側から接する第１〜第７内側縦壁部２ｂ〜２ｅ及び３ｂ〜３ｄを有する。第１及び第２開口部１１，１２に第１及び第２収納凹部２，３を挿入した状態で第１〜第７外側縦壁部が第１〜第７内側縦壁部によって内側から押圧される。【選択図】図１
2012218749.tif 000002
【特許請求の範囲】
【請求項１】
複数の板状部材を折り畳んで組み立てられた、収納凹部を有する包装用トレイにおいて、
上記板状部材を折り畳んで上面部に開口部が形成されたトレイ本体と、
上記トレイ本体とは別の板状部材を折り曲げて形成され、上記トレイ本体の開口部に挿入される収納凹部とを有し、
上記開口部は、該開口部の形状に合わせて上記トレイ本体の上面部を折り曲げて形成した外側縦壁部に周縁を囲まれ、
上記収納凹部は、上記外側縦壁部に内側から接する内側縦壁部を有し、
上記開口部に上記収納凹部を挿入した状態で上記外側縦壁部が上記内側縦壁部によって内側から押圧されている
ことを特徴とする包装用トレイ。
【請求項２】
請求項１に記載の包装用トレイにおいて、
上記トレイ本体は、上記上面部と該外側縦壁部との境界に設けたスリットにより、上記外側縦壁部が折り曲げられた状態で、上記開口部の周縁よりも内側に突出する周縁突出部を備え、
上記収納凹部を上記開口部へ挿入した後、上記内側縦壁部の上端部が上記周縁突出部の下面に当接することで、上記収納凹部が上面側へ飛び出すのが規制されている
ことを特徴とする包装用トレイ。
【請求項３】
請求項２に記載の包装用トレイにおいて、
上記収納凹部の下面は、上記開口部に挿入された後に上記トレイ本体の下面部に当接し、上記内側縦壁部が上記周縁突出部と該下面部とで挟み込まれている
ことを特徴とする包装用トレイ。
【請求項４】
請求項３に記載の包装用トレイにおいて、
上記外側縦壁部は、その先端が折り曲げられることなく、上記トレイ本体の下面部に当接し、又は該下面部に対して若干隙間を空けて配置されている
ことを特徴とする包装用トレイ。
【請求項５】
請求項１乃至４のいずれか１つに記載の包装用トレイにおいて、
上記収納凹部及び上記開口部は、複数設けられ、
上記複数の収納凹部は、互いに連結首部で連結されている
ことを特徴とする包装用トレイ。
【請求項６】
請求項５に記載の包装用トレイにおいて、
上記収納凹部及び上記開口部は、一対設けられ、
上記トレイ本体の底部は、該トレイ本体の対向する側壁部にそれぞれ連続する下面部が上記連結首部に対応する部分で折り曲げられ、この折り曲げられた突合せ部が互いに当接して組み立てられており、
上記連結首部に併せて切り欠かれた突合せ部の周縁により、該連結首部の周囲が補強されている
ことを特徴とする包装用トレイ。
【請求項７】
請求項６に記載の包装用トレイにおいて、
上記各下面部と上記各突合せ部との境界の両端に設けたスリットを一対の突合せ部を突き合わせたときにそれぞれ重ね合わせ、上記トレイ本体の対向する側壁部とは別の対向する側壁部に連続する差込部に形成したスリットと重ね合わせることで、上記下面部が平らな状態で固定されるように構成されている
ことを特徴とする包装用トレイ。
【請求項８】
請求項６又は７に記載の包装用トレイにおいて、
一方の上記下面部と突合せ部との境界の上記連結首部に対応する部分は、折曲げ時に水平に飛び出す突起部が形成され、
他方の上記下面部と突合せ部との境界の上記連結首部に対応する部分は、折曲げ時に水平に凹む差込凹部が形成され、
上記トレイ本体の組立状態で、上記連結首部の真下で上記突起部が上記差込凹部に差し込まれている
ことを特徴とする包装用トレイ。
【請求項９】
請求項６乃至８のいずれか１つに記載の包装用トレイにおいて、
他の包装用トレイと積み重ねられた状態で、外装箱に収納されるように構成されている
ことを特徴とする包装用トレイ。
【請求項１０】
請求項９に記載の包装用トレイにおいて、
一方の上記収納凹部には、携帯端末の充電池が収納され、
他方の上記収納凹部には、上記携帯端末の上記充電池を覆うカバーが収納され、
上記他の包装用トレイには、携帯端末本体が収納されるように構成されている。
ことを特徴とする包装用トレイ。
【発明の詳細な説明】
【技術分野】
【０００１】
本発明は、段ボールなどの板状部材を折り曲げて形成した収納凹部を有する包装用トレイに関するものである。
【背景技術】
【０００２】
従来より、この種の包装用トレイとしては、例えば、特許文献１に見られるように、箱本体部と、複数の内装部とを有し、箱本体部が、紙材製箱体の上面を形成する上面部と、この上面部から延設されて立設された壁部であって、収納凹部の側面を形成する複数の壁部とを有し、複数の内装部が、ともに収納凹部の少なくとも一部を形成する中央板部と、この中央板部の外周のうち隣接する収納凹部に面した外周部分を除く外周から延設された複数の壁部であって立設された壁部とを有する、少なくとも２つの凹部状の収納凹部を備えた紙材製箱体が知られている。
【先行技術文献】
【特許文献】
【０００３】
【特許文献１】特開平９−２４９３３号公報
【発明の概要】
【発明が解決しようとする課題】
【０００４】
この特許文献１の壁部は、板状部材から折り曲げて立設されているので、弾力により、元の平らな形状に戻ろうとする。壁部が元の形状に戻ろうとすると、例えば、袋入りの製品をこの収納凹部に収納した場合、袋が壁部の端部に引っ掛かって取り出すのが難しくなるという問題がある。このため、壁部の先端を折り曲げた上面部に接着剤を塗布して開口部の周縁に接着している。
【０００５】
一方、近年、板状部材の再利用や環境保護のために接着剤を使用せずに包装用トレイを組み立てられるようにするニーズが増えてきている。そこで、接着剤を設けずに壁部が元に戻ろうとするのを防ぐために、壁部を何度も折り曲げて元に戻りにくくしたり、壁部に突起部を設けて開口部周縁に差し込んだりすることが考えられる。
【０００６】
しかし、全ての壁部を何度も折り曲げたり、先端を開口部周縁に差し込んだりするのは、工数が増えて望ましくない。
【０００７】
本発明は、かかる点に鑑みてなされたものであり、その目的とするところは、簡単な構造で工数を増やすことなく、収納凹部の壁部を起立させた状態で安定させると共に、収納物の出し入れを容易にすることにある。
【課題を解決するための手段】
【０００８】
上記の目的を達成するために、この発明では、開口部側の縦壁部を収納凹部側の縦壁部で内側から押圧するようにした。
【０００９】
具体的には、第１の発明では、
複数の板状部材を折り畳んで組み立てられた、収納凹部を有する包装用トレイを前提とし、
上記包装用トレイは、
上面部に開口部が形成されたトレイ本体と、
上記トレイ本体とは別の板状部材を折り曲げて形成され、上記トレイ本体の開口部に挿入される収納凹部とを有し、
上記開口部は、該開口部の形状に合わせて上記トレイ本体の上面部を折り曲げて形成した外側縦壁部に周縁を囲まれ、
上記収納凹部は、上記外側縦壁部に内側から接する内側縦壁部を有し、
上記開口部に上記収納凹部を挿入した状態で上記外側縦壁部が上記内側縦壁部によって内側から押圧されている。
【００１０】
上記の構成によると、開口部の外側縦壁部の元の平らな形状に戻ろうとする力と収納凹部の内側縦壁部の元の平らな形状に戻ろうとする力とが互いに押し合って打ち消されるので、収納凹部の内側縦壁部が安定する。このため、何度も折り曲げを繰り返して元に戻りにくくしたり、外側縦壁部の先端を差し込んで固定したりする必要がなく、また、ビニール袋で包んだ収納物を収納した場合でも、取り出し時に内側縦壁部に引っ掛かることはない。さらに、収納凹部の内側縦壁部が外側縦壁部と重なり合っているので強度が増し、折り曲げ構造、引っ掛け構造などをとらなくても充電池などの比重の高いものを収納することができる。このため、折り曲げ工数が減る。
【００１１】
第２の発明では、第１の発明において、
上記トレイ本体は、上記上面部と該外側縦壁部との境界に設けたスリットにより、上記外側縦壁部が折り曲げられた状態で、上記開口部の周縁よりも内側に突出する周縁突出部を備え、
上記収納凹部を上記開口部へ挿入した後、上記内側縦壁部の上端部が上記周縁突出部の下面に当接することで、上記収納凹部が上面側へ飛び出すのが規制されている。
【００１２】
上記の構成によると、外側縦壁部を折り曲げるだけで簡単に周縁突出部が形成される上に、収納凹部の挿入時における位置決めが容易となるので、組立時間の短縮が可能となる。
【００１３】
第３の発明では、第２の発明において、
上記収納凹部の下面は、上記開口部に挿入された後に上記トレイ本体の下面部に当接し、上記内側縦壁部が上記周縁突出部と該下面部とで挟み込まれている。
【００１４】
上記の構成によると、内側縦壁部が外側縦壁部と周縁突出部と下面部とで挟み込まれるので、さらに安定度が増すと共に剛性が向上する。
【００１５】
第４の発明では、第３の発明において、
上記外側縦壁部は、その先端が折り曲げられることなく、上記トレイ本体の下面部に当接し、又は該下面部に対して若干隙間を空けて配置されている。
【００１６】
上記の構成によると、外側縦壁部は内側縦壁部と互いに押し合っているので、その先端をさらに折り曲げて接着構造としたり、先端を下面部に差し込んだりする必要がないので、組み立て工数が減り、また、上面部に荷重が加わっても外側縦壁部の先端が下面部で支持されるので、トレイ本体が変形するのが防止される。
【００１７】
第５の発明では、第１乃至第４のいずれか１つの発明において、
上記収納凹部及び上記開口部は、複数設けられ、
上記複数の収納凹部は、互いに連結首部で連結されている。
【００１８】
上記の構成によると、収納凹部をトレイ本体に組み付けるときに、複数の収納凹部を一度に組み付けることができるので、部品数が減ると共に組立が容易である。
【００１９】
第６の発明では、第５の発明において、
上記収納凹部及び上記開口部は、一対設けられ、
上記トレイ本体の底部は、該トレイ本体の対向する側壁部にそれぞれ連続する下面部が上記連結首部に対応する部分で折り曲げられ、この折り曲げられた突合せ部が互いに当接して組み立てられており、
上記連結首部に併せて切り欠かれた突合せ部の周縁により、該連結首部の周囲が補強されている。
【００２０】
上記の構成によると、連結首部をトレイ本体の上面部側から挿入するために、連結首部に対応する上面部及びそれに連続する内側縦壁部を切り欠く必要があり、その切り欠いた部分の強度が低下するが、切り欠かれた一対の突合せ部の周縁がトレイ本体の組立状態で上面部及び内側縦壁部の切り欠かれた部分の周縁に配置されるので、強度が増すと共に、切り欠かれた部分からゴミ等がトレイ本体内に入り込みにくくなる。
【００２１】
第７の発明では、第６の発明において、
上記各下面部と上記各突合せ部との境界の両端に設けたスリットを一対の突合せ部を突き合わせたときにそれぞれ重ね合わせ、上記トレイ本体の対向する側壁部とは別の対向する側壁部に連続する差込部に形成したスリットと重ね合わせることで、上記下面部が平らな状態で固定されるように構成されている。
【００２２】
上記の構成によると、トレイ本体の組立状態で下面部と突合せ部との境界の両端のスリットと、差込部のスリットとが確実に係合するので、トレイ本体の下面部が平らな状態で堅固に保持される。
【００２３】
第８の発明では、第６又は第７の発明において、
一方の上記下面部と突合せ部との境界の上記連結首部に対応する部分は、折曲げ時に水平に飛び出す突起部が形成され、
他方の上記下面部と突合せ部との境界の上記連結首部に対応する部分は、折曲げ時に水平に凹む差込凹部が形成され、
上記トレイ本体の組立状態で、上記連結首部の真下で上記突起部が上記差込凹部に差し込まれている。
【００２４】
上記の構成によると、トレイ本体の組立状態において、連結首部の真下で突起部が差込凹部に差し込まれるので、一対の下面部が水平方向にずれることなく確実に突き合わされる。
【００２５】
第９の発明では、第６乃至第８のいずれか１つの発明において、
他の包装用トレイと積み重ねられた状態で、外装箱に収納されるように構成されている。
【００２６】
上記の構成によると、外側縦壁部及び内側縦壁部の２重構造であるため、差込構造を設ける必要がないので、出っ張りがなく他の包装用トレイを積み重ねやすく、また、剛性が確保されているので、積み重ねてもトレイ本体が変形しない。
【００２７】
第１０の発明では、第９の発明において、
一方の上記収納凹部には、携帯端末の充電池が収納され、
他方の上記収納凹部には、上記携帯端末の上記充電池を覆うカバーが収納され、
上記他の包装用トレイには、携帯端末本体が収納されるように構成されている。
【００２８】
上記の構成によると、比重の大きい充電池を確実に収納できると共に、充電池とカバーとをコンパクトに収納できる。また、比重の大きい携帯端末本体が収納された他の包装用トレイを積み重ねても包装用トレイが変形することはない。
【発明の効果】
【００２９】
以上説明したように、本発明によれば、トレイ本体の開口部に収納凹部を挿入した状態で開口部周縁の外側縦壁部を内側縦壁部によって内側から押圧するようにしたことにより、簡単な構造で工数を増やすことなく、収納凹部の壁部を起立させた状態で安定させて収納物の出し入れを容易にすることができる。
【図面の簡単な説明】
【００３０】
【図１】包装用トレイの分解斜視図である。
【図２】包装用トレイの使用例を示す分解斜視図である。
【図３】トレイ本体を展開した状態を示す平面図である。
【図４】収納凹部を展開した状態を示す図である。
【図５】包装用トレイの組立状態を示す斜視図である。
【図６】図５のVI−VI線拡大断面図である。
【発明を実施するための形態】
【００３１】
以下、本発明の実施形態を図面に基づいて説明する。
【００３２】
図１及び図５は本発明の実施形態の包装用トレイ１を示し、この包装用トレイ１は、例えば、図２に携帯電話機の個装セット１１０を示すように、背面カバー１００を収納する第１収納凹部２と充電池１０１を収納する第２収納凹部３とを有し、これら背面カバー１００及び充電池１０１をビニール袋１０２で包んだ状態で収納し、その上に携帯電話機本体１０３を収納した上側トレイ１０４等に積み重ねられた状態で外装箱１０５に収納されるようになっている。
【００３３】
図３に示すように、包装用トレイ１は、１枚の段ボール紙などの板状部材５０を折り曲げ、折り畳んで組み立てられた平面視矩形状のトレイ本体１０を有する。トレイ本体１０は、上面部１０ａに第１開口部１１及び第２開口部１２を有する。上面部１０ａは、第１〜第４側壁部１０ｂ〜１０ｅに連続し、これら第１〜第４側壁部１０ｂ〜１０ｅは、下方へ折り曲げられてトレイ本体１０の４つの側壁を構成する。第１開口部１１は、第１〜第４外側縦壁部１１ａ〜１１ｄを下方へ折り曲げることで周縁が形成される。第２開口部１２は、第５〜第７外側縦壁部１２ａ〜１２ｃを下方へ折り曲げ、さらに第４側壁部１０ｅを下方へ折り曲げることで周縁が形成される。なお、本実施形態では、４つめの外側縦壁部を第４側壁部１０ｅで代用しているが、第５〜第７外側縦壁部１２ａ〜１２ｃと同様に上面部２ａに連続する壁部を折り曲げて構成してもよい。また、第１開口部１１と第２開口部１２との間は、連結開口部１３で連結されているので、この連結開口部１３によって第４外側縦壁部１１ｄ及び第６外側縦壁部１２ｂが分断されている。トレイ本体１０は、上面部１０ａと第１〜第３外側縦壁部１１ａ〜１１ｃ及び第５及び第７外側縦壁部１２ａ，１２ｃとの境界に設けたスリット１４により、第１〜第３外側縦壁部１１ａ〜１１ｃ及び第５及び第７外側縦壁部１２ａ，１２ｃが折り曲げられた状態で、第１及び第２開口部１１，１２の周縁よりも内側（収納部側）に突出する周縁突出部１５（図１及び図５に示す）を備えている。
【００３４】
第２側壁部１０ｃ及び第４側壁部１０ｅは、それぞれトレイ本体１０の下面を構成する第１下面部１０ｆ及び第２下面部１０ｇに連続している。これら第１下面部１０ｆ及び第２下面部１０ｇの先端にはそれぞれ第１突合せ部１０ｈ及び第２突合せ部１０ｉが設けられ、トレイ本体１０の組立時に第１突合せ部１０ｈ及び第２突合せ部１０ｉが当接した状態で第１下面部１０ｆ及び第２下面部１０ｇによってほぼ連続した下面が形成されるようになっている。そして、これら第１下面部１０ｆと第１突合せ部１０ｈとの間の境界両端に一対の第１差込用スリット１０ｊが形成され、第２下面部１０ｇと第２突合せ部１０ｉとの間の境界両端に一対の第２差込用スリット１０ｋが形成されている。なお、第１突合せ部１０ｈ及び第２突合せ部１０ｉは、連結開口部１３を形成するために切り欠き１０ｌが形成されている。
【００３５】
第１下面部１０ｆと第１突合せ部１０ｈとの境界の連結首部４に対応する部分には、スリットにより、折曲げ時に水平に飛び出す突起部１６が形成されている。また、第２下面部１０ｇと第２突合せ部１０ｉとの境界の連結首部４に対応する部分には、スリットにより、折曲げ時に水平に凹む差込凹部１７が形成されている。
【００３６】
第１側壁部１０ｂには、第１差込部１０ｍが連続し、第３側壁部１０ｄには、第２差込部１０ｎが連続しており、第１差込部１０ｍの先端には第３差込用スリット１０ｏが形成され、第２差込部１０ｎの先端には第４差込用スリット１０ｐが形成されている。
【００３７】
そして、第１突合せ部１０ｈ及び第２突合せ部１０ｉが折曲により付き合わされた状態で、第１側壁部１０ｂを折り畳んでその第３差込用スリット１０ｏを一方の第１差込用スリット１０ｊ及び第２差込用スリット１０ｋに差し込み、第３側壁部１０ｄを折り畳んでその第４差込用スリット１０ｐを他方の第１差込用スリット１０ｊ及び第２差込用スリット１０ｋに差し込むことで、トレイ本体１０が組み立てられるようになっている。また、このトレイ本体１０の組立状態で、連結首部４の真下で突起部１６が差込凹部１７に差し込まれることで、一対の第１及び第２下面部１０ｆ，１０ｇが水平方向にずれることなく確実に突き合わされる。
【００３８】
一方、図４に示すように、第１収納凹部２と第２収納凹部３とは、１枚の段ボール紙などの板状部材５１から形成される。第１収納凹部２と第２収納凹部３とは、互いに連結首部４で連結されている。第１収納凹部２は、底面部２ａと、この底面部２ａに連続し、上側に折り曲げられる第１〜第４内側縦壁部２ｂ〜２ｅを有する。第４内側縦壁部２ｅは、連結首部４によって分割されている。第２収納凹部３は、底面部３ａと、この底面部３ａに連続し、上側に折り曲げられる第５〜第７内側縦壁部３ｂ〜３ｄを有する。第６内側縦壁部３ｃは、連結首部４によって分割されている。本実施形態では、４つめの内側縦壁部を第４側壁部１０ｅで代用しているが、第５〜第７内側縦壁部３ｂ〜３ｄと同様に底面部３ａに連続する壁部を折り曲げて構成してもよい。
【００３９】
図１に示すように、連結首部４によって連結された第１収納凹部２、第２収納凹部３及び連結首部４を第１〜第７内側縦壁部２ｂ〜２ｅ及び３ｂ〜３ｄを起立させた状態でトレイ本体１０の第１開口部１１、第２開口部１２及び連結開口部１３に上方から挿入することで、包装用トレイ１が組み立てられるようになっている。
【００４０】
図５に示すように、組立状態において、第１開口部１１に第１収納凹部２を挿入した状態で、図６に例示するように、第１〜第４外側縦壁部１１ａ〜１１ｄが第１〜第４内側縦壁部２ｂ〜２ｅによってそれぞれ内側（収納物側）から押圧されている。また、第２開口部１２に第２収納凹部３を挿入した状態で第５〜第７外側縦壁部１２ａ〜１１ｃが第５〜第７内側縦壁部３ｂ〜３ｅによってそれぞれ内側から押圧されている。このため、第１及び第２開口部１１，１２の第１〜第７外側縦壁部１１ａ〜１１ｄ及び１２ａ〜１２ｃの元の平らな形状に戻ろうとする力と、第１及び第２収納凹部２，３の第１〜第７内側縦壁部２ｂ〜２ｅ及び３ｂ〜３ｄの元の平らな形状に戻ろうとする力とが互いに押し合って打ち消される。このため、第１及び第２収納凹部２，３の第１〜第７内側縦壁部２ｂ〜２ｅ及び３ｂ〜３ｄが安定した状態で保持される。このことから、何度も第１〜第７内側縦壁部２ｂ〜２ｅ及び３ｂ〜３ｄの折り曲げを繰り返して元に戻りにくくする必要がなく、また、ビニール袋１０２で包んだ収納物１０１，１０３を収納した場合でも、取り出し時に第１〜第７内側縦壁部２ｂ〜２ｅ及び３ｂ〜３ｄに引っ掛かることはない。さらに、第１〜第７内側縦壁部２ｂ〜２ｅ及び３ｂ〜３ｄが第１〜第７外側縦壁部１１ａ〜１１ｄ及び１２ａ〜１２ｃと重なり合っているので強度が増し、折り曲げ構造、引っ掛け構造などをとらなくても充電池１０１電池などの比重の高いものを収納することができる。このため、折り曲げ工数が減る。
【００４１】
また第１及び第２収納凹部２，３を第１及び第２開口部１１，１２へ上方から挿入した後、図６に例示するように、第１〜第７内側縦壁部２ｂ〜２ｅ及び３ｂ〜３ｄの上端部が周縁突出部１５の下面に当接することで、第１及び第２収納凹部２，３が上面部１０ａから飛び出すのが規制されている。このため、第１及び第２収納凹部２，３の挿入時における位置決めが極めて容易となり、組立時間の短縮が可能となる。しかも、第１及び第２収納凹部２，３の下面２ａ，３ａは、第１及び第２開口部１１，１２に挿入された後にトレイ本体１０の第１及び第２下面部１０ｆ，１０ｇに当接している。このことで、第１〜第７内側縦壁部２ｂ〜２ｅ及び３ｂ〜３ｄが周縁突出部１５と、この第１及び第２下面部１０ｆ，１０ｇとで挟み込まれているので、第１〜第７内側縦壁部２ｂ〜２ｅ及び３ｂ〜３ｄの剛性がさらに向上する。なお、第１〜第７内側縦壁部２ｂ〜２ｅ及び３ｂ〜３ｄの上端部と周縁突出部１５の下面との間には、隙間が設けられていてもよい。
【００４２】
また、第１〜第７外側縦壁部１１ａ〜１１ｄ及び１２ａ〜１２ｃは第１〜第７内側縦壁部２ｂ〜２ｅ及び３ｂ〜３ｄと互いに押し合っているので、その先端をさらに折り曲げて接着構造としたり、先端を第１及び第２下面部１０ｆ，１０ｇに差し込んだりする必要がない。このことから、組み立て工数が減り、また、上面部１０ａに荷重が加わっても第１〜第７外側縦壁部１１ａ〜１１ｄ及び１２ａ〜１２ｃの先端が第１及び第２下面部１０ｆ，１０ｇで支持されるので、トレイ本体１０が変形するのが防止される。
【００４３】
また、第１及び第２収納凹部２，３は、互いに連結首部４で連結されているので、第１及び第２収納凹部２，３をトレイ本体１０に組み付けるときに、第１及び第２収納凹部２，３を一度に組み付けることができるので、組立が極めて容易である。
【００４４】
また、連結首部４に対応する連結開口部１３では、連結首部４に併せて切り欠かれた突合せ部１０ｈ，１０ｉの切欠１０ｌの周縁により、連結首部４の周囲が補強されている。しかも、切欠１０ｌの周縁が連結首部４の隙間を覆うので、その部分からゴミ等がトレイ本体１０内に入り込みにくくなっている。
【００４５】
そして、組立後には、図２に示すように、第１収納凹部２にビニール袋１０２に包まれた背面カバー１００を収納し、第２収納凹部３にビニール袋１０２に包まれた充電池１０１を収納する。
【００４６】
その後、携帯電話機本体１０３を収容した上側トレイ１０４等と積み重ねられた状態で、外装箱１０５に収納される。このとき、包装用トレイ１は、第１〜第７外側縦壁部１１ａ〜１１ｄ及び１２ａ〜１２ｃ及び第１〜第７内側縦壁部２ｂ〜２ｅ及び３ｂ〜３ｄの２重構造であるため、出っ張りがなく上側トレイ１０４を積み重ねやすく、また、剛性が確保されているので、質量の大きい携帯電話機本体１０３を収容した上側トレイ１０４積み重ねてもトレイ本体１０が変形しない。
【００４７】
したがって、本実施形態に係る包装用トレイ１によると、トレイ本体１０の第１及び第２開口部１１，１２に第１及び第２収納凹部２，３を挿入した状態で第１及び第２開口部１１，１２の周縁の第１〜第７外側縦壁部１１ａ〜１１ｄ及び１２ａ〜１２ｃを第１〜第７内側縦壁部２ｂ〜２ｅ及び３ｂ〜３ｄによって内側から押圧するようにしたことにより、簡単な構造で工数を増やすことなく、第１及び第２収納凹部２，３の壁部を起立させた状態で安定させて収納物の出し入れを容易にすることができる。
【００４８】
（その他の実施形態）
本発明は、上記実施形態について、以下のような構成としてもよい。
【００４９】
すなわち、上記実施形態では、携帯電話機の部品を収納する包装用トレイ１の例を示したが、収納物の種類や大きさは特に限定されない。また、板状部材５０，５１は段ボールとしたが、材質は特に限定されず、弾性を有する合成樹脂製シートなどであってもよい。
【００５０】
なお、以上の実施形態は、本質的に好ましい例示であって、本発明、その適用物や用途の範囲を制限することを意図するものではない。
【産業上の利用可能性】
【００５１】
以上説明したように、本発明は、包装用トレイ１について有用である。
【符号の説明】
【００５２】
１      包装用トレイ
２      第１収納凹部
２ａ    底面部
２ｂ〜２ｅ    第１〜第４内側縦壁部
３      第２収納凹部
３ａ    底面部
３ｂ〜３ｄ    第５〜第７内側縦壁部
４      連結首部
１０      トレイ本体
１０ａ    上面部
１０ｈ    突合せ部
１０ｉ    突合せ部
１０ｊ    第１差込用スリット
１０ｋ    第２差込用スリット
１０ｍ    第１差込部
１０ｎ    第２差込部
１０ｏ    第３差込用スリット
１０ｐ    第４差込用スリット
１１      第１開口部
１１ａ〜１１ｄ  第１〜第４外側縦壁部
１２      第２開口部
１２ａ〜１２ｃ  第５〜第７外側縦壁部
１４      スリット
１５      周縁突出部
１６      突起部
１７      差込凹部
５０      板状部材
５１      板状部材
１００      背面カバー
１０１      充電池
１０２      ビニール袋
１０４      上側トレイ（他のトレイ）
１０５      外装箱
【図１】
2012218749.tif 000003
【図２】
2012218749.tif 000004
【図３】
2012218749.tif 000005
【図４】
2012218749.tif 000006
【図５】
2012218749.tif 000007
【図６】
2012218749.tif 000008